(57)【要約】フェムトセル基地局は、ネットワークにおいて少なくとも１つの他の基地局により使用されたキャリアを検出すること及び検出されたキャリアと部分的に重複するように自身のキャリア周波数を選択することにより、キャリア周波数を選択する。他の基地局への接続を有するユーザ機器に選択されたキャリアを探索させるように、フェムトセル基地局のダウンリンク電力は、選択されたキャリアと検出されたキャリアとの間の重複の度合いに基づいて設定される。
2013520062.tif 000002
【特許請求の範囲】
【請求項１】
各々がそれぞれのキャリア周波数バンドにおいて動作する複数の他の基地局を含む移動通信ネットワークにおける基地局の動作の方法であって、
前記他の基地局のうちの少なくとも１つにより使用されており且つ有効バンド幅を有するキャリアを検出する工程と、
選択されたキャリアが前記他の基地局により使用されている前記検出されたキャリアと部分的に重複するように、前記他の基地局により使用されている前記検出されたキャリアに基づいて前記基地局において使用するための前記有効バンド幅を有するキャリアを選択する工程と、
を備えることを特徴とする方法。
【請求項２】
チャネルラスタが２００ｋＨｚであり且つ公称キャリア幅が５ＭＨｚである移動通信ネットワークにおいて、前記選択されたキャリアの中心周波数は、２００ｋＨｚ〜４．８ＭＨｚの周波数オフセットだけ前記他の基地局により使用されている前記検出されたキャリアの中心周波数から離間されることを特徴とする請求項１記載の方法。
【請求項３】
前記周波数オフセットは０．８ＭＨｚ〜４．２ＭＨｚであることを特徴とする請求項２記載の方法。
【請求項４】
前記基地局からの送信のためのダウンリンク電力を設定する工程を更に備え、最大ダウンリンク電力は、前記選択されたキャリアの中心周波数と前記他の基地局により使用されている前記検出されたキャリアの中心周波数との間の周波数オフセットに基づいて設定されることを特徴とする請求項１から３のいずれか１項に記載の方法。
【請求項５】
前記基地局に接続されたユーザ機器からの送信のための最大アップリンク電力を設定する工程を更に備え、
前記最大アップリンク電力は、前記選択されたキャリアの中心周波数と前記他の基地局により使用されている前記検出されたキャリアの中心周波数との間の周波数オフセットに基づいて設定されることを特徴とする請求項１から４のいずれか１項に記載の方法。
【請求項６】
２つの他の基地局により使用されている隣接キャリアを検出する工程であって、前記検出されたキャリアの各々が有効バンド幅を有し且つガードバンドにより分離されている前記工程と、
選択されたキャリアが、前記ガードバンドにまたがり、前記他の基地局により使用されている前記検出されたキャリアの両方と部分的に重複するように、前記基地局において使用するための前記有効バンド幅を有するキャリアを選択する工程と、
を備えることを特徴とする請求項１から５のいずれか１項に記載の方法。
【請求項７】
前記基地局からの送信のためのダウンリンク電力を設定する工程を更に備え、前記ダウンリンク電力は、前記選択されたキャリアと前記検出されたキャリアとの間の重複の度合いに基づいて設定されることを特徴とする請求項１記載の方法。
【請求項８】
前記基地局から所定の距離にあるユーザ機器に前記選択されたキャリアを探索させるように、前記選択されたキャリアと前記検出されたキャリアとの間の重複の度合いに基づいて前記基地局からの送信のためにダウンリンク電力を設定する工程を更に備えることを特徴とする請求項７記載の方法。
【請求項９】
あらゆるマクロ層基地局から検出された最強の信号のＲＳＣＰレベルの関数として前記基地局からの送信のためのダウンリンク電力を設定する工程を更に備えることを特徴とする請求項８記載の方法。
【請求項１０】
マクロ層とフェムト層との間の遷移が行われるポイントにおける経路損失に対する所望の値の関数として前記基地局からの送信のためのダウンリンク電力を設定する工程を更に備えることを特徴とする請求項８又は９記載の方法。
【請求項１１】
前記ユーザ機器がトリガされてフェムトセルを探索する品質に対する値をマクロ層同報通信チャネルから読み取る工程と、前記品質の関数として前記基地局からの送信のためのダウンリンク電力を設定する工程とを更に備えることを特徴とする請求項８又は９記載の方法。
【請求項１２】
各々がそれぞれのキャリア周波数バンドにおいて動作する複数の他の基地局を含むセルラ移動通信ネットワークにおいて使用するための基地局であって、請求項１から１１のいずれか１項に記載の方法に従って動作するように構成されることを特徴とする基地局。
【発明の詳細な説明】
【技術分野】
【０００１】
本発明は、セルラ移動通信ネットワークにおいて使用するための基地局に関し、特に、そのような基地局が動作キャリア周波数を選択する方法に関する。
【背景技術】
【０００２】
屋内等のサービスエリアに問題のあるエリアにおいてモバイルサービスエリアを提供するアクセスポイントの形態のフェムトセル基地局は既知である。そのようなデバイスは、一般に自律的に動作することを意図するため、多くの自己構成機能を有する。
【０００３】
同一のデバイスが場所に依存してマクロ層基地局及びフェムトセル基地局に接続でき且つそれらを使用できるように、フェムトセル基地局は、既存のマクロ層サービスエリアを補完することが期待される。モバイルユーザがマクロ層とフェムト層との間でローミングできるように、マクロ層基地局に接続されるハンドセットがフェムトセルサービスエリアを探索するのに使用する機構がなければならない。その後、フェムトセルサービスエリアが検出されると、ハンドセットは、フェムト層に接続され、フェムトセル基地局により提供される改善されたサービスエリア及び更なる容量を利用する。
【０００４】
フェムトセル基地局がすぐ近くにあるマクロ層と同一の無線チャネル周波数を有する場合、マクロ層とフェムトセルとの間のモビリティが容易に実現される。２つの層が同一の周波数を共有するため、マクロネットワークにキャンプオン（あるいは接続）された移動装置は、同一チャネルフェムトセルの近傍にある場合にマクロ品質の低下を経験するだろう。この低下により、移動装置は隣接リストに規定されるようなエリアにおいてより適切なセルを探索する。従って、同一チャネルを配置することにより、マクロネットワーク上で移動パラメータを変更する必要なく移動装置にフェムトセルを探索及び発見させる。しかし、同一チャネルを配置することにより、２つの層間に干渉が発生する。これは、特に隣接するフェムトセルからのためにマクロ層において干渉を発生させているかあるいはサービスを全く発生させていないフェムトセルを使用する許可を受けていないモバイルユーザに対して有害である。無許可のハンドセットは、特にＲ６対応である場合に更なる欠点を更に経験する。そのようなデバイスがフェムト層上で拒否される場合、チャネルは最大３００秒間妨げられる。これは、マクロ品質が十分な場合でもハンドセットがその持続期間中マクロネットワークを使用できないことを意味する。
【０００５】
ネットワークにおけるフェムトセル基地局が専用周波数を割り当てられる場合、マクロ層とフェムト層との間のモビリティは、異なる方法で実現される。アイドルモードにおいて、マクロネットワーク上の周波数間セル再選択パラメータは、フェムトセル基地局により使用された特定のスクランブリングコードを探索するようにハンドセットに命令する。接続モードにおいて、マクロネットワークは、偶然フェムトセル周波数を使用している全てのセルを探索及び測定するために、「圧縮モード」になるようにハンドセットに命令する。圧縮モードにおいて、ハンドセットは、周期的に送信を停止し、瞬時に自身を別の周波数に同調してその周波数の品質を測定する。フェムトセル基地局に対して専用周波数を使用することにより、干渉の問題を排除する。しかし、マクロネットワーク上の移動パラメータに対する変更により、マクロ層基地局にキャンプオンされた全てのハンドセットはフェムトセル層の検出を試みる。ネットワーク全体で圧縮モードを使用することは、容量及び品質の問題を招くために通常は受け入れられない。
【０００６】
いくつかの例において、マクロ層ネットワークは多くのキャリア（チャネル）を有する。従って、フェムトセル基地局がこれらのキャリア上に配置される場合、上述の全てのモビリティの問題が発生する。
【発明の概要】
【０００７】
本発明によれば、各々がそれぞれのキャリア周波数バンドにおいて動作する複数の他の基地局を含む移動通信ネットワークにおける基地局の動作の方法であって、
他の基地局のうちの少なくとも１つにより使用されており且つ有効バンド幅を有するキャリアを検出する工程と、
選択されたキャリアが他の基地局により使用されている検出されたキャリアと部分的に重複するように、他の基地局により使用されている検出されたキャリアに基づいて基地局において使用するための前記有効バンド幅を有するキャリアを選択する工程と、
を備える方法が提供される。
【０００８】
本発明の第２の態様によれば、第１の態様の方法に従って動作するように構成された基地局が提供される。
【図面の簡単な説明】
【０００９】
次に、本発明をより適切に理解し且つそれを実行する方法を示すため、例として添付の図面を参照する。
【図１】図１は、本発明の一態様に従って動作するセルラ通信ネットワークの一部を示す図である。
【図２】図２は、本発明の一態様に従ってフェムトセル基地局を示す概略ブロック図である。
【図３】図３は、本発明の一態様に従って方法を示すフローチャートである。
【図４】図４は、本発明の一態様における周波数割り当てを示す図である。
【図５】図５は、本発明の別の態様における周波数割り当てを示す図である。
【図６】図６は、本発明の更に別の態様における周波数割り当てを示す図である。
【図７】図７は、本発明の更に別の態様における周波数割り当てを示す図である。
【図８】図８は、本発明の更に別の態様における周波数割り当てを示す図である。
【発明を実施するための形態】
【００１０】
図１は、セルラ通信ネットワークの一部を示す。この一般的なレベルにおいて、ネットワークは従来のものであり、本発明を理解するために必要な範囲だけ説明する。図示されたセルラネットワークにおいて、フェムトセル基地局又はフェムトセルアクセスポイント（ＦＡＰ）１０が配置されている。ＦＡＰ１０は、同一のセルラネットワーク内において３つのマクロ層セルラ基地局１２、１４、１６の近傍にある。特定のネットワークはより多くの基地局を含むが、更なる基地局を図示しなくても本発明を十分に説明できることが理解されるだろう。
【００１１】
図２は、ＦＡＰ１０を更に詳細に示す。ここでも、この一般的なレベルにおいて、ＦＡＰ１０は既知であり、本発明を理解するために必要な範囲だけ説明する。ＦＡＰ１０は、ＦＡＰ１０の他の構成要素の動作を監視及び制御するプロセッサ２０の制御下で動作する。セルラネットワークオペレータのコアネットワークとの通信は、一般に、インターネットを介し、インタフェース２２を使用する。移動デバイス又は他のユーザ機器への無線インタフェースを介する通信のためのインタフェース２２に対する信号は、関連するセルラ規格に基づいて信号を適切な形式にするモデム２４に渡される。ＵＭＴＳセルラ規格に従って動作するＦＡＰ１０を参照して本発明を更に説明するが、本発明は他のあらゆる適切な規格に適用されることが明らかとなるだろう。
【００１２】
無線インタフェースを介してＦＡＰ１０により受信された信号は、発振器２８から受信した信号から導出される周波数において動作する従来の受信（Ｒｘ）回路網２６に渡される。無線インタフェースを介して送信するための信号は、発振器３２から受信した信号から導出される周波数において動作する従来の送信（Ｔｘ）回路網３０に渡される。発振器２８、３２は本明細書において別個のものとして示されるが、単一の発振器があってもよく、Ｒｘ回路網２６及びＴｘ回路網３０が単一の発振器から関連する受信周波数及び送信周波数を導出する。アンテナ３４は、Ｒｘ回路網２６及びＴｘ回路網３０に接続する。
【００１３】
図３は、デバイスの初期化中にプロセッサ２０の制御下でＦＡＰ１０により実行された処理を示すフローチャートである。同一の処理は、ＦＡＰ１０の動作中に定期的に実行され、近傍でマクロ層基地局により送信された信号の変化を考慮する。
【００１４】
ステップ５０において、ＦＡＰ１０は、セルラネットワークにおいてマクロセル基地局からダウンリンク送信を検出しようとする。ステップ５２において、ＦＡＰは、ステップ５０で取得される情報に基づいてチャネルを選択する。
【００１５】
従って、マクロ層基地局は、一般にネットワーク計画の一部としてセルラネットワークオペレータにより判定されるキャリア上で全て動作している。例えば２つのキャリアは、ネットワークにおいて全てのマクロ層基地局に割り当てられる。その場合、ＦＡＰ１０は、第１のキャリア又は第２のキャリア上で動作する１つ以上のマクロ層基地局、あるいは第１のキャリア及び第２のキャリア上で動作するマクロ層基地局を検出できる。一実施形態において、ＦＡＰ１０は、セルラネットワークオペレータにより提供された管理システムからこれらの状況のうちのいずれかにおいて取るべき行動を報知する情報をダウンロードできる。
【００１６】
例えばＦＡＰ１０は、第１のキャリア上で送信する１つ以上のマクロ層基地局のみを検出できる場合に第３のキャリア上で送信すべきであること、第２のキャリア上で送信する１つ以上のマクロ層基地局のみを検出できる場合に第４のキャリア上で送信すべきであること、あるいは第１のキャリア及び第２のキャリア上で送信するマクロ層基地局を検出できる場合に第５のキャリア上で送信すべきであることをＦＡＰ１０に命令する情報をダウンロードしている。各々の場合において、ＦＡＰ１０が送信するキャリアと検出されたマクロ層基地局が送信する１つ又は複数のキャリアとの間の部分的な重複がある。
【００１７】
別の実施形態において、ＦＡＰは、自身が送信しているキャリア及び検出されたマクロ層キャリアの強度を検出できる多くのマクロ層基地局に依存する異なるアルゴリズムに基づいてキャリアを選択する。
【００１８】
例えばＦＡＰｆは、チャネルオフセットを判定し、次にそのキャリアオフセットにより検出されたマクロ層基地局のキャリアから分離されるキャリアを選択する。ここでも、チャネルオフセットは、ＦＡＰ１０が送信するキャリアと検出されたマクロ層基地局が送信する１つ又は複数のキャリアとの間の部分的な重複があるようなものである。
【００１９】
ＵＭＴＳシステムにおいてダウンリンクキャリアとアップリンクキャリアとの間に固定の関係性があるため、ＦＡＰ１０は、ダウンリンク送信のために使用するキャリアを選択すると、アップリンク送信に対して使用されるキャリアを容易に判定できる。ＵＭＴＳシステムにおいて、チャネルラスタは２００ｋＨｚである。すなわち、使用可能な周波数チャネルは２００ｋＨｚだけ離間され、各チャネルは、番号、ＵＡＲＦＣＮ（ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を与えられる。この場合、チャネルの周波数は、２００ｋＨＺを掛けたＵＡＲＦＣＮである。
【００２０】
ＵＭＴＳにおいて、送信機及び受信機は、名目上は５ＭＨｚ幅のキャリアを使用して動作する。すなわち、あらゆる送信機及び受信機は、キャリアの中心周波数に対応するＵＡＲＦＣＮにより識別されるキャリア上で動作している。しかし、種々のフィルタ等における周波数選択性に対する制限は、キャリアがその中心周波数を中心とする５ＭＨｚの周波数範囲で構成要素を含むことを意味する。
【００２１】
従って、図４は、基地局がチャネル番号１０５９０上で送信している状況を示す。すなわち、基地局は、チャネル番号１０５９０及び２００ｋＨｚの積である２１１８ＭＨｚを中心とする約５ＭＨｚのバンド幅で信号を生成している。
【００２２】
図５は、第１の基地局がチャネル番号１０５９０上で送信しており且つ第２の基地局がチャネル番号１０６１５上で送信している２つの異なるキャリア上で動作する２つの基地局がある一般的な状況を示す。すなわち、第１の基地局は、２１１８ＭＨｚを中心とする約５ＭＨｚのバンド幅で信号を生成しており、第２の基地局は、チャネル番号１０５９０及び２００ｋＨｚの積である２１２３ＭＨｚを中心とする約５ＭＨｚのバンド幅で信号を生成している。
【００２３】
図６は、ＦＡＰ１０がチャネル番号１０５９０を中心とするキャリア８０上で送信する１つ以上のマクロ層基地局のみを検出できる場合にステップ５２の結果を示す。ネットワークオペレータの管理システムにより提供された情報に基づいて、ＦＡＰ１０は、自身の送信のためにチャネル番号１０６０８を中心とするキャリア８２を選択する。従って、２つのキャリアの中心周波数間でこの示された例においてＣ＊＝１８であるチャネルオフセットＣ＊がある。
【００２４】
２つのキャリアの中心周波数間の差は、２００ｋＨｚを掛けたチャネルオフセットである。従って、チャネルオフセットが２５未満であると選択される場合、中心周波数間の差は５ＭＨｚ未満である。各キャリアが５ＭＨｚの有効バンド幅を有するため、キャリア８０と８２との間の部分的な重複がある。
【００２５】
図７は、キャリア８０と８２との間の重複のエリア８４を示す。
【００２６】
２つのキャリアの中心周波数間の差は、２００ｋＨｚを掛けたチャネルオフセットである。従って、チャネルオフセットが２５未満であると選択される場合、中心周波数間の差は５ＭＨｚ未満である。各キャリアが５ＭＨｚの有効バンド幅を有するため、キャリア８０と８２との間の部分的な重複がある。
【００２７】
図８は、ＦＡＰ１０がチャネル番号１０５９０を中心とするキャリア８０上で送信する１つ以上のマクロ層基地局及びチャネル番号１０６１５を中心とするキャリア８６上で送信する１つ以上のマクロ層基地局を検出できる場合にステップ５２の結果を示す。キャリア８０、８６の中心周波数間の差は５ＭＨｚであり、これは、ネットワークオペレータがマクロ層基地局に対して２つのキャリアを提供する場合に一般的な状況であることが分かるだろう。この場合、ＦＡＰ１０は、双方のキャリア８０、８６と部分的に重複するキャリアを選択する。
【００２８】
特に、この例において、ネットワークオペレータの管理システムにより提供された情報に基づいて、ＦＡＰ１０は、自身の送信のためにチャネル番号１０６０３を中心とするキャリア８８を選択する。従って、キャリア８０及び８８の中心周波数間でこの示された例においてＣ＊１＝１３であるチャネルオフセットＣ＊１、並びにキャリア８６及び８８の中心周波数間でこの示された例においてＣ＊２＝１２であるチャネルオフセットＣ＊２がある。
【００２９】
ここでも、これらの２つのチャネルオフセットが２５未満であるように選択されるため、中心周波数間の対間の差は５ＭＨｚ未満である。各キャリアが５ＭＨｚの有効バンド幅を有するため、キャリア８０と８８との間及びキャリア８６と８８との間の部分的な重複がある。
【００３０】
従って、選択されたキャリアは、キャリア８０、８６を分離するガードバンドにまたがる。
【００３１】
マクロ層キャリアと部分的に重複するキャリアを選択することは、欠点を最小限にしつつ、近傍のマクロ層基地局と同一のキャリア上で動作する利点とマクロ層基地局とは別のキャリア上で動作する利点とを組み合わせる。
【００３２】
従って、マクロ層キャリアとの何らかの干渉があるが、その干渉は制限される。実際には、干渉の度合いは、２つのキャリア間の重複の度合いの関数である。より大きなチャネルオフセットにより干渉の量が減少する。チャネルオフセットは、一般に少なくとも４であり、すなわち中心周波数の間隔は少なくとも８００ｋＨｚである。同時に、チャネルオフセットは、一般に２１未満であり、すなわち中心周波数の間隔は、一般に４．４ＭＨｚ未満である。これは、干渉の量が殆どのユーザに対して信号受信に悪影響を及ぼさないが、フェムトセルの周囲の狭い領域においてマクロキャリアを劣化させる十分なレベルの干渉を発生させるため、ユーザにフェムト層を探索及び再選択させることを意味する。干渉が共有キャリアの場合より実質的に小さいため、フェムトセルの周囲のこの狭い領域は、実際にはフェムトセルのサービスエリアに移動するユーザがフェムトセルに近接する場合にのみフェムトセルを探索し始めるのに十分なほど狭くなる。
【００３３】
マクロネットワーク上で周波数間セル再選択パラメータを構成することにより、ある特定のレベルの品質低下を経験するハンドセットのみがフェムトキャリアを探索する。これにより、フェムト層を探索しているハンドセットの割合が実質的に減少する。それは、フェムトキャリアを探索するために圧縮モードにされる必要がある接続されたハンドセット（通話中）の割合が実質的に減少することを更に意味する。これにより、ユーザに対する平均電池寿命が長くなり、圧縮モードのユーザが発生させたマクロ層容量の減少を最小限にする。
【００３４】
また、ＦＡＰが使用するための部分的に重複するキャリアを選択することは、ＦＡＰにアクセスしようとして拒否される無許可のマクロ層ユーザが返送するための受け入れ可能な品質のマクロ層基地局を発見する可能性がより高いことを意味する。また、遮断されたキャリアがマクロネットワークにより使用されたキャリアとは異なるため、ユーザが拒否されているキャリアを使用することを防止するチャネル遮断手順は、マクロ層の可用性に対して影響を及ぼさない。
【００３５】
キャリアを選択すると、図３に示された処理は、ＦＡＰ１０に対して送信電力レベルを設定するステップ５４に進む。特に、検出されたマクロ層キャリアの測定された受信信号コード電力（ＲＳＣＰ）レベルに基づいて、ＦＡＰ１０は、ある特定の所定の距離（又は経路損失）において及び選択されたチャネルオフセットに対してマクロ信号品質（Ｅｃ／ｌｏ）を所定のレベルに低下させるダウンリンク電力設定を選択する。ＦＡＰは、同時にＦＡＰにより生成された干渉がマクロ層に対して明白な品質低下を招くべきではないことを保証しつつ、ハンドセットがＦＡＰからある特定の距離（例えば、２〜３ｍ）にある場合にハンドセットにＦＡＰを探索させる十分なレベルの干渉を発生させなければならない。
【００３６】
例えば、送信電力レベルＴｘ電力は、以下の式に従って判定される。
【００３７】
Ｔｘ電力＝測定されたＲＳＣＰ＋ＰＬ−Ｅｃ／ｌｏ＋ＬＦ＋ＣＦ
式中、
測定されたＲＳＣＰは、あらゆるマクロ層基地局から検出された最強の信号のＲＳＣＰレベルである。
【００３８】
ＰＬは、マクロ層とフェムト層との間の遷移が行われるポイントにおける経路損失に対する所望の値であり、例えば５０ｄＢに設定されるため、遷移はＦＡＰ１０に近接して発生するだけである。
【００３９】
Ｅｃ／ｌｏは、ＵＥがＦＡＰ  ＵＡＲＦＣＮを探索するようにトリガされるマクロ層Ｅｃ／ｌｏ品質であり、この値は、マクロ層同報通信チャネルからＦＡＰ１０により読み取られる。
【００４０】
ＬＦは、２つの層間の負荷差及び共通パイロットチャネル（ＣＰＩＣＨ）に割り当てられたＦＡＰ電力の割合を考慮する負荷係数である。
【００４１】
ＣＦは、ＦＡＰ１０と隣接マクロ層基地局との間のチャネルオフセットＣ＊の関数である補正係数である。
【００４２】
原則として、より大きな補正係数は、チャネルオフセットのより大きな値に適用されるべきである。しかし、ＦＡＰにおける電力設定手順は、ＦＡＰによりＦＡＰ  ＵＥに提供されたサービスエリアのレベル、他のあらゆる隣接／重複キャリアに対してＦＡＰが発生させた干渉及びＦＡＰの最大電力機能を更に考慮する。
【００４３】
例及び説明のためだけに、チャネルオフセットＣ＊と補正係数ＣＦとの間の以下の関係が可能である。
【００４４】
【表１】
2013520062.tif 000003
【００４５】
送信電力レベルを設定すると、図３の処理は、ＦＡＰ１０がアップリンクにおいてハンドセットにより許可された最大電力を更に設定するステップ５６に進む。ＦＡＰは、ＦＡＰ  ＵＥにより生成された部分的に重複するマクロ層キャリアへの干渉を制御しなければならない。
【００４６】
例えば、一実施形態において、ＦＡＰは、最近接のマクロ層基地局に対する経路損失を算出する。これは、マクロＲＳＣＰの測定値及び同報通信チャネルを介した送信から既知であるマクロ層パイロット信号の送信電力に基づく。ＦＡＰは、最近接のマクロ層基地局において所定のレベルのアップリンクノイズ上昇を発生する最大の同一チャネル送信電力を算出する。ＦＡＰは、オフセットチャネルに対する電力の差を補正するために上述のものに類似した別のマッピングテーブルを使用する。ＦＡＰは、同報通信チャネルを介して最大アップリンク電力に対して算出された値を同報通信する。
【００４７】
ＦＡＰキャリアは、マクロ層において２つのキャリアと部分的に重複する場合、より強い重複キャリアの測定値又は管理システムにより通知された１つの特定の重複キャリアの測定値、あるいは２つの重複キャリアからの測定値を使用する平均関数に基づいてステップ５４及び５６でダウンリンク電力及びアップリンク電力を調整する。
【００４８】
図３の手順は、ＦＡＰ１０がオフセットマクロキャリアに対して種々の周波数間セル再選択パラメータを構成するステップ５８に進む。この一例として、ＦＡＰは、フェムトハンドセットがオフセットキャリア上でマクロサイトを探索し且つマクロサイトに与えるようにするように圧縮モード閾値を設定する。ＦＡＰ１０は、適切な境界においてフェムト層からマクロ層にシームレスに遷移できるように周波数間セル再選択パラメータを構成しなければならない。構成は、その場所においてマクロ信号の強度に依存し、ＦＡＰのサービスエリアの所望の範囲に更に依存するため、その特定のＦＡＰに特有である。
【００４９】
上述の種々のパラメータを設定すると、処理はステップ６０に進み、ＦＡＰ１０は動作を開始できる。
【００５０】
従って、フェムト層構成は、隣接するマクロチャネルに対して５ＭＨｚ未満に離間されるＵＭＴＳチャネルを使用する。フェムト層構成は、１つ又は２つのマクロキャリアに重複するキャリアを使用する。これにより、所定の制御されたレベルの干渉が発生する。自己構成ＦＡＰは、隣接する重複キャリア上の測定値に基づいて電力設定を調整する。自己構成ＦＡＰは、隣接する重複キャリア上の測定値に基づいて接続されたハンドセットの電力を制御する。自己構成ＦＡＰは、隣接する重複キャリア上の測定値に基づいて再選択パラメータを調整する。ＦＡＰは、圧縮モードを使用してマクロネットワークに属する重複キャリアに属する１つ以上のＵＡＲＦＣＮを測定するように接続モードのＵＥに命令する。
【００５１】
従って、これは、より新しいハンドセット又は機器の生成を待たずにフェムトセルを配置する機構を提供する。
【図１】
2013520062.tif 000004
【図２】
2013520062.tif 000005
【図３】
2013520062.tif 000006
【図４】
2013520062.tif 000007
【図５】
2013520062.tif 000008
【図６】
2013520062.tif 000009
【図７】
2013520062.tif 000010
【図８】
2013520062.tif 000011
【国際調査報告】
2013520062.tif 000012
2013520062.tif 000013
2013520062.tif 000014
2013520062.tif 000015